(57)【要約】      （修正有）【課題】再封が簡単で、しかも再封した状態か開封前の状態かを一目で容易に判別することができる再封機能付き包装箱を提供する。【解決手段】開封前の組み立て状態で、サイドフラップ３８、６２、第二の蓋片７０及び第一の蓋片４６が順に重なってシールエンド型の蓋部が形成される。第一の側面板２２は、第一折罫線４８を介して第一の蓋片４６に連続する開封部５６と、開封時に第一の蓋片４６及び開封部５６を第一の側面板２２から分離させるための開封用破断線５４とを備える。第一の蓋片４６は、第一の蓋片４６を先端側領域４６ｂと基端側領域４６ａとに区切る再封用折罫線５０と、再封用折罫線５０の両端から再封用折罫線５０と重なるように内向きに延びる一対の切り込み５２とを備える。サイドフラップ３８、６２は、第一の蓋片４６の切り込み５２の中に入って係合できる形状の係合部３８ａ、６２ａを備える。【選択図】図２
0003224236.tif 000002
【実用新案登録請求の範囲】
【請求項１】
複数の側面板により形成された四角形の筒体と、前記複数の側面板の中の１つである第一の側面板の端辺に第一折罫線を介して延設された第一の蓋片と、前記複数の側面板の中の、前記第一の側面板と対向する第二の側面板の端辺に延設された第二の蓋片と、前記複数の側面板の中の、前記第一及び第二の側面板と交差する２つの側面板の端辺に各々延設されたサイドフラップと、前記第一の側面板の内側に設けられ、前記第一折罫線を介して前記第一の蓋片に連続する開封部と、開封時に前記第一の蓋片及び前記開封部を前記第一の側面板から分離させるための開封用破断線とを備え、開封前の組み立て状態で、前記サイドフラップの上側に前記第一及び第二の蓋片が重なり、前記第一及び第二の蓋片が互いに糊付けされて蓋部が形成されるシールエンド型の包装箱であって、
前記第一の蓋片の内側に、前記第一の蓋片を先端側領域と基端側領域とに区切る再封用折罫線と、前記再封用折罫線の両端から前記再封用折罫線と重なるように内向きに延びる一対の切り込みとが設けられ、２つの前記サイドフラップに、前記第一の蓋片の前記切り込みの中に入って係合できる形状の係合部が各々設けられ、
前記開封用破断線が切り離されて開封された後、再封された状態で、前記サイドフラップの上側に前記第一の蓋片の前記先端側領域と第二の蓋片とが重なり、前記第一の蓋片の前記再封用折罫線が折れ曲がって前記基端側領域及び前記開封部が前記筒体の内部に向かって延び、前記サイドフラップの前記係合部が、前記第一の蓋片の前記切り込みの中に入って各々係合し、前記第一の蓋片の前記先端側領域及び前記第二の蓋片が閉じた状態に保持されることを特徴とする再封機能付き包装箱。
【請求項２】
前記サイドフラップの、前記第一の蓋片の前記基端側領域に近い側の側端部が斜めに面取りされ、この面取りされた部分に前記係合部が設けられている請求項１記載の再封機能付き包装箱。
【請求項３】
開封前の組み立て状態で、前記第二の蓋片は、前記第一の蓋片の前記基端側領域、前記再封用折罫線及び前記切り込みに重ならず、前記先端側領域の下側に重なって糊付けされる請求項１又は２記載の再封機能付き包装箱。
【請求項４】
開封前の組み立て状態で、前記第二の蓋片は、前記第一の蓋片の上側に重なり、前記第一の蓋片の前記先端側領域に糊付けされる請求項１又は２記載の再封機能付き包装箱。
【請求項５】
一枚の箱体形成片によって形成された請求項１乃至４のいずれか記載の再封機能付き包装箱。
【考案の詳細な説明】
【技術分野】
【０００１】
本考案は、シールエンド型の蓋部を開封した後、再封することができる再封機能付き包装箱に関する。
【背景技術】
【０００２】
従来、例えば特許文献１に開示されているように、一枚の箱体形成片から成り、箱体形成片は、一列に連接された４つの側面板と、４つの側面板の各端縁部に各々延設された一対のフラップ、内蓋及び外蓋とを有し、開封前の組み立て状態で、一対のサイドフラップ、内蓋及び外蓋が順に重なり、外蓋が内蓋の表面に糊付けされてシールエンド型の天蓋が形成される包装用箱があった。この包装用箱は、外蓋が延設された側面板の端部に、外蓋に連続する開封部と、開封部及び外蓋を当該側面板から分離させるためのミシン目が設けられ、開封する時、このミシン目を破断させることによって、蓋部が開閉可能にすることができる。
【０００３】
さらに、開封された蓋部を再封可能にするため、箱体形成片は、外蓋の側縁部に延設された延長フラップと、延長フラッップの延設方向と直角方向の側縁部に延設された差し込み片とを有している。開封前の組み立て状態で、延長フラップは外蓋の裏面に固定され、差し込み片は、内蓋が延設された側面板の内面に重なるように配置される。そして、ミシン目が切り離されて開封された後、再封された状態で、サイドフラップ、内蓋及び第一の蓋片が順に重なり、差し込み片が、内蓋が延設された側面板の内面側に差し込まれて係止され、蓋部が閉じた状態に保持される。
【先行技術文献】
【特許文献】
【０００４】
【特許文献１】実用新案登録第３２１０１３６号公報
【考案の概要】
【考案が解決しようとする課題】
【０００５】
例えば、包装箱に包装されて流通する医薬品は、病院や調剤薬局等の医療機関に納入されると、包装箱に入った状態で、種類ごとに保管棚に並べて保管されることが多い。そして、薬剤師等の管理担当者は、開封済みの医薬品が無くなってから、次の新しい箱（未開封の箱）を開封しなければならない。したがって、開封済みの箱が残っているのに新しい箱を開封してしまうのを防止するため、医薬品用の包装箱は、開封済みかどうかを一目で正確に判別できることが求められる。
【０００６】
しかし、特許文献１の再封機能付き包装用箱は、再封した状態と開封前の状態とを比較すると、ミシン目が切り離されているかどうかという違いがあるものの、外観的に大きな差がなく、開封済みの箱かどうかを一目で正確に判別することは難しい。また、この再封機能付き包装用箱は、一枚の箱体形成片（特許文献１の図３を参照）から形成されるが、延長フラップ及び差し込み片が追加されるので箱体形成片の面積が従来よりも大きくなり、しかも延長フラップ及び差し込み片が側方に突出した変則的な外形になるので、大型のブランクシートから効率よく打ち抜くことが難しくなる。
【０００７】
この考案は、上記背景技術に鑑みて成されたものであり、再封が簡単で、しかも再封した状態か開封前の状態かを一目で容易に判別することができる再封機能付き包装箱を提供することを目的とする。
【課題を解決するための手段】
【０００８】
本考案は、複数の側面板により形成された四角形の筒体と、前記複数の側面板の中の１つである第一の側面板の端辺に第一折罫線を介して延設された第一の蓋片と、前記複数の側面板の中の、前記第一の側面板と対向する第二の側面板の端辺に延設された第二の蓋片と、前記複数の側面板の中の、前記第一及び第二の側面板と交差する２つの側面板の端辺に各々延設されたサイドフラップと、前記第一の側面板の内側に設けられ、前記第一折罫線を介して前記第一の蓋片に連続する開封部と、開封時に前記第一の蓋片及び前記開封部を前記第一の側面板から分離させるための開封用破断線とを備え、開封前の組み立て状態で、前記サイドフラップの上側に前記第一及び第二の蓋片が重なり、前記第一及び第二の蓋片が互いに糊付けされて蓋部が形成されるシールエンド型の包装箱であって、
前記第一の蓋片の内側に、前記第一の蓋片を先端側領域と基端側領域とに区切る再封用折罫線と、前記再封用折罫線の両端から前記再封用折罫線と重なるように内向きに延びる一対の切り込みとが設けられ、２つの前記サイドフラップに、前記第一の蓋片の前記切り込みの中に入って係合できる形状の係合部が各々設けられ、
前記開封用破断線が切り離されて開封された後、再封された状態で、前記サイドフラップの上側に前記第一の蓋片の前記先端側領域と第二の蓋片とが重なり、前記第一の蓋片の前記再封用折罫線が折れ曲がって前記基端側領域及び前記開封部が前記筒体の内部に向かって延び、前記サイドフラップの前記係合部が、前記第一の蓋片の前記切り込みの中に入って各々係合し、前記第一の蓋片の前記先端側領域及び前記第二の蓋片が閉じた状態に保持される再封機能付き包装箱である。
【０００９】
前記サイドフラップの、前記第一の蓋片の前記基端側領域に近い側の側端部が斜めに面取りされ、この面取りされた部分に前記係合部が設けられている。また、開封前の組み立て状態で、前記第二の蓋片は、前記第一の蓋片の前記基端側領域、前記再封用折罫線及び前記切り込みに重ならず、前記先端側領域の下側に重なって糊付けされる。あるいは、開封前の組み立て状態で、前記第二の蓋片は、前記第一の蓋片の上側に重なり、前記第一の蓋片の前記先端側領域に糊付けされる。また、一枚の箱体形成片によって形成された構成であることが好ましい。
【考案の効果】
【００１０】
本考案の再封機能付き包装箱は、開封用破断線が切り離されて開封された後、簡単且つスムーズに再封することができる。また、再封された状態で、第一の側面板の、開封前に開封部が在った場所が開放し、その内側の少し離れた位置に開封部が配置されるので、開封された状態と開封前の状態との外観の差が大きく、開封済みの箱体かどうかを一目で容易に判別することができる。
【００１１】
また、本考案の再封機能付き包装箱は、再封機能を有しない普通のシールエンド型包装箱と比較して、箱体形成片の面積や外形が大きくならない。したがって、箱体形成片は、普通のシールエンド型包装箱と同様に、大型のブランクシートから効率よく打ち抜いて製作することができる。
【図面の簡単な説明】
【００１２】
【図１】本考案の再封機能付き包装箱の第一の実施形態の、組み立て状態を示す斜視図（ａ）、蓋部を拡大した平面図（ｂ）である。
【図２】第一の実施形態の再封機能付き包装箱を展開した箱体形成片を表面側から見た平面図である。
【図３】第一の実施形態の再封機能付き包装箱の蓋部を示す斜視図であって、開封した状態を示す図（ａ）、再封する途中の状態を示す図（ｂ）、再封された状態を示す図（ｃ）である。
【図４】本考案の再封機能付き包装箱の第二の実施形態の、組み立て状態を示す斜視図（ａ）、蓋部を拡大した平面図（ｂ）である。
【図５】第二の実施形態の再封機能付き包装箱を展開した箱体形成片を表面側から見た平面図である。
【図６】第二の実施形態の再封機能付き包装箱の蓋部を示す斜視図であって、開封した状態を示す図（ａ）、再封する途中の状態を示す図（ｂ）、再封された状態を示す図（ｃ）である。
【考案を実施するための形態】
【００１３】
以下、本考案の再封機能付き包装箱の第一の実施形態について、図１〜図３に基づいて説明する。この実施形態の再封機能付き包装箱１０は、図１（ａ）に示すように、筒体１２の両端がシールエンド型の蓋部１４と底部１６とで閉鎖された直方体形状の箱体である。再封機能付き包装箱１０は、厚紙等で成る一枚の箱体形成片１８を組み立てることによって形成される。
【００１４】
箱体形成片１８は、図２に示すように、互いに平行に連接された４つの側面板２０，２２，２４，２６を有している。側面板２０，２２，２４，２６は、連接している幅方向の長さは同じであり、連接方向の長さは、側面板２０，２４が短くて互いにほぼ等しく、側面板２２，２６が長くて互いにほぼ等しい。
【００１５】
側面板２６の連接方向の端部には、糊付け片２８が短く連接されている。糊付け片２８は、筒体１２を形成するため、組み立て時に側面板２０の端部に糊付けされる部分である。４つの側面板２０，２２，２４，２６及び糊付け片２８は、各々折罫線３０，３２，３４，３６で区切られている。以下、側面板２２を第一の側面板２２と称し、側面板２６を第二の側面板２６と称する。
【００１６】
各側面板２０，２２，２４，２６は、図２（ａ）における上側の端辺に、蓋部１４を形成するための部材が各々延設され、下側の端辺に、底部１６を形成するための部材が各々延設されている。
【００１７】
側面板２０の上側の端辺には台形状のサイドフラップ３８が延設され、折罫線４０で側面板２０と区切られている。サイドフラップ３８は、延出長さが第一及び第二の側面板２２，２６の連接方向長さの約2/5で、後述する第一の蓋片４６側の側端部が斜めに面取りされ、この面取りされた部分の途中に係合部３８ａが設けられている。また、側面板２０の下側の端辺には、略長方形のサイドフラップ４２が延設され、折罫線４４で側面板２０と区切られている。
【００１８】
第一の側面板２２の上側の端辺には、略長方形の第一の蓋片４６が延設され、第一折罫線４８で第一の側面板２２と区切られている。第一の蓋片４６の延出長さは、側面板２０，２４の連接方向長さと同じか僅かに短い。そして、第一の蓋片４６の内側の、第一折罫線４８に近い位置に、第一折罫線４８とほぼ平行な再封用折罫線５０が設けられ、第一の蓋片４６が基端側領域４６ａと先端側領域４６ｂとに区切られている。再封用破断線５０と第一折罫線４８との間隔は、側面板２０，２４の連接方向長さの約1/6である。さらに、再封用折罫線５０の両端から、再封用折罫線５０と重なるように内向きに延びる切り込み５２が一対設けられている。
【００１９】
第一の側面板２２の内側の、第一の蓋片４６側の端部には、第一折罫線４８の両端を連結するＵ字形又はＶ字形の開封用破断線５４が設けられている。開封用破断線５４と第一折罫線４８とで囲まれた部分は、再封機能付き包装箱１０を開封する時に指で押し破られる開封部５６となる。
【００２０】
第一の側面板２２の下側の端辺には、略長方形の外底片５８が延設され、折罫線６０で第一の側面板２２と区切られている。外底片５８の延出長さは、側面板２０，２４の連接方向長さと同じか僅かに短い。
【００２１】
側面板２４の上側の端辺には台形状のサイドフラップ６２が延設され、折罫線６４で側面板２４と区切られている。サイドフラップ６２は、第一の蓋片４６を軸にしてサイドフラップ３８と線対称な形状で、上記の係合部３８ａに対応した係合部６２ａが設けられている。また、側面板２４の下側の端部には、略長方形のサイドフラップ６６が延設され、折罫線６８で側面板２４と区切られている。
【００２２】
第二の側面板２６の上側の端辺には、略長方形の第二の蓋片７０が延設され、折罫線７２で第二の側面板２６と区切られている。第二の蓋片７０の延出長さは、側面板２０，２４の連接方向長さの約3/4である。また、第二の側面板２６の下側の端辺には、略長方形の内底片７４が延設され、折罫線７６で第二の側面板２６と区切られている。内底片７４の延出長さは、側面板２０，２４の連接方向長さの約3/4である。
【００２３】
次に、再封機能付き包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２４】
まず、箱体形成片１８の折罫線３４を正折りして糊付け片２８及び第二の側面板２６を第一の側面板２２及び側面板２４に重ねる。そして、糊付け片２８の表面に糊を塗布した後、折罫線３０正折りして側面板２０を糊付け片２８に重ね、側面板２０の端部の裏面を糊付け片２８に糊付けする。箱体形成片１８はこの折り畳み状態で再封機能付き包装箱１０の製造工場等から出荷される。
【００２５】
次に、収容物の包装を行う工場等において、箱体形成片１８の折罫線３０，３２，３４，３６を各々９０度に正折りし、側面板２０，２２，２４，２６で成る四角形の筒体１２を形成する。そして、折罫線４４，６８でサイドフラップ４２，６６を各々９０度に正折りし、折罫線７６で内底片７４を９０度に正折りしてサイドフラップ４２，６６に重ねる。そして、内底片７４の表面に糊を塗布した後、折罫線６０で外底片５８を９０度に正折りして内底片７４に重ね、外底片５８の裏面を内底片７４に糊付けする。これで、筒体１２の一端部がシールエンド型の底部１６で閉鎖され、反対側の開放している端部から収容物を入れる。
【００２６】
収容物を入れた後、蓋部１４を形成する。まず、折罫線４０，６４でサイドフラップ３８，６２を各々９０度に正折りし、折罫線７２を９０度に正折りして第二の蓋片７０をサイドフラップ３８，６２に重ねる。そして、第二の蓋片７０の表面のほぼ中央部に糊７８を塗布した後、第一折罫線４８で第一の蓋片４６を９０度に正折りして第二の蓋片７０に重ね、第一の蓋片４６の先端側領域４６ｂの裏面を第二の蓋片７０に糊付けする。これで、筒体１２の他端部もシールエンド型の蓋部１４で閉鎖され、図１（ａ）、（ｂ）に示す組み立て状態になる。
【００２７】
図１（ｂ）に示すように、組み立て状態で、第二の蓋片７０は、第一の蓋片４６の下側に配置され、第一の蓋片４６の基端側領域４６ａ、再封用折罫線５０及び切り込み５２には重ならず、先端側領域４６ａに重なる。そして、２つの切り込み５２が、サイドフラップ３８，６２の係合部３８ａ，６２ｂの近傍に各々配置される。
【００２８】
再封機能付き包装箱１０を開封する時は、開封部５６を指で押して開封用破断線５４を破断させ、開封部５６及び第一の蓋片４６を第一の側面板２２から分離させる。これで、互いに糊付けされて一体になっている第一及び第二の蓋片４６，７０が開閉可能になり、第一及び第二の蓋片４６，７０を引き上げ、さらにサイドフラップ３８，６２を引き上げると、図３（ａ）に示すように蓋部１４が広く開放し、中の収容物を取り出すことができる。
【００２９】
再封機能付き包装箱１０を開封した後、再封する時は、図３（ｂ）に示すように、まず、折罫線４０，６４を９０度に正折りしてサイドフラップ３８，６２を倒す。そして、再封用折罫線５０を正折り方向に屈曲させるとともに、折罫線７２を９０度に正折りし、開封部５６及び第一の蓋片４６の基端側部分４６ａを第一の側面板２２及びサイドフラップ３８，６２で囲まれた隙間に差し込みながら、第一の蓋片４６の先端側領域４６ｂ及び第二の蓋片７０をサイドフラップ３８，６２に重ねる。すると、サイドフラップ３８，６２の係合部３８ａ，６２ａが第一の蓋片４６の２つの切り込み５２の中にスムーズに入って各々係合し、蓋部１４が閉じた状態に保持され、図３（ｃ）に示す再封状態になる。
【００３０】
再封された状態では、第一の蓋片４６の再封用折罫線５０が折れ曲がって基端側領域４６ａ及び開封部５６が筒体１２の内部に向かって延び、第一の側面板２２の、開封前に開封部５６が在った場所が開放し、その内側の少し離れた位置に開封部５６が配置される。したがって、再封された状態と開封前の状態の外観を比較すると、第一の側面板２２の側から見た時に特に大きな差が生じる。
【００３１】
以上説明したように、再封機能付き包装箱１０は、開封用破断線５４が切り離されて開封された後、簡単且つスムーズに再封することができる。また、第一の側面板２２の側から見た時の外観が、再封された状態と開封前の状態とで大きく異なるので、開封済みの箱体かどうかを一目で容易に判別することができる。
【００３２】
また、再封機能付き包装箱１０は、再封機能を有しない普通のシールエンド型包装箱と比較して、箱体形成片の面積や外形が大きくならない。したがって、箱体形成片１８は、普通のシールエンド型包装箱と同様に、大型のブランクシートから効率よく打ち抜いて製作することができる。
【００３３】
次に、本考案の再封機能付き包装箱の第二の実施形態について、図４〜図６に基づいて説明する。ここで、上記実施形態と同様の構成は、同一の符号を付して説明を省略する。この実施形態の再封機能付き包装箱８０は、図４（ａ）に示すように、筒体１２の両端がシールエンド型の蓋部１４と底部１６とで閉鎖された直方体形状の箱体であり、形状や大きさは、上記の再封機能付き包装箱１０とほぼ同じである。再封機能付き包装箱８０は、厚紙等で成る一枚の箱体形成片８２を組み立てることによって形成される。
【００３４】
図５に示すように、箱体形成片８２の構成において、上記箱体形成片１８と異なるのは、第一の側面板２２の２つの端辺に、新規な第一の蓋片８４と内底片８６とが各々延設されている点と、第二の側面板２６の２つの端辺に、新規な第二の蓋片８８と外底片９０とが各々延設されている点である。
【００３５】
第一の蓋片８４は、形状が略長方形で、延出長さが側面板２０，２４の連接方向長さの約3/4に設定されている（上記の第一の蓋片４６よりも少し短い）。第一の蓋片８４は、内側に上記の再封用折罫線５０及び切り込み５２が設けられ、再封用折罫線５０によって基端側領域８４ａと先端側部分８４ｂとに区切られている。また、内底片８６は、形状が略長方形で、延出長さが側面板２０，２４の連接方向長さの約3/4に設定されている（上記の外底片５８よりも少し短い）。
【００３６】
第二の蓋片８８は、形状が略長方形で、延出長さが側面板２０，２４の連接方向長さと同じか僅かに短く設定され（上記の第二の蓋片７０よりも少し長い）、先端縁の中央部に円弧状の切り欠き８８ａが設けられている。また、外底片９０は、形状が略長方形で、延出長さが側面板２０，２４の連接方向長さと同じか僅かに短く設定されている（上記の内底片７４よりも少し短い）。
【００３７】
再封機能付き包装箱８０の組み立て方法は、上記の再封機能付き包装箱１０とほぼ同じであるが、四角形の筒体１２を形成した後、底部１６及び蓋部１４を組み立てる時の手順が少し変更になる。底部１６を組み立てる時は、折罫線４４，６８でサイドフラップ４２，６６を各々９０度に正折りし、折罫線６０で内底片８６を９０度に正折りしてサイドフラップ４２，６６に重ねる。そして、内底片８６の表面に糊を塗布した後、折罫線７６で外底片９０を９０度に正折りして内底片８６に重ね、外底片９０の裏面を内底片８６に糊付けする。これで、筒体１２の一端部がシールエンド型の底部１６で閉鎖され、反対側の開放している端部から収容物を入れる。
【００３８】
収容物を入れた後、蓋部１４を組み立てる時は、まず、折罫線４０，６４でサイドフラップ３８，６２を各々９０度に正折りし、第一折罫線４８で第一の蓋片８４を９０度に正折りしてサイドフラップ３８，６２に重ねる。そして、第一の蓋片８４の先端側領域８４ｂの表面に糊７８を塗布した後、折罫線７２で第二の蓋片８８を９０度に正折りして第一の蓋片８４に重ね、第二の蓋片８８の裏面を第一の蓋片８４の先端側領域８４ｂに糊付けする。これで、筒体１２の他端部もシールエンド型の蓋部１４で閉鎖され、図４（ａ）、（ｂ）に示す組み立て状態になる。
【００３９】
図４（ｂ）に示すように、組み立て状態で、第二の蓋片８８は、第一の蓋片４６の上側に配置され、第一の蓋片８４の基端側領域８４ａ及び先端側領域８４ｂ（再封用折罫線５０及び切り込み５２を含む）に重なる。そして、２つの切り込み５２が、サイドフラップ３８，６２の係合部３８ａ，６２ｂの近傍に各々配置される。
【００４０】
再封機能付き包装箱８０を開封する時は、上記の再封機能付き包装箱１０の場合と同じであり、図６（ａ）に示すように蓋部１４を広く開放させることによって、中の収容物を取り出すことができる。
【００４１】
また、再封機能付き包装箱８０を開封した後、再封する時も、図６（ｂ）、（ｃ）に順に示すように、再封機能付き包装箱１０とほぼ同じである。なお、再封機能付き包装箱８０の場合、第一の蓋片８４の再封用折罫線５０が第二の蓋片８８の下側に隠れるので、再封用折罫線５０を屈曲させる時は、第二の蓋片８８の切り欠き８８ａを通じて露出する基端側領域８４ａの中央部に指を掛けるとよい。
【００４２】
再封機能付き包装箱８０の再封状態は、上記の再封機能付き包装箱１０と比較すると、第二の蓋片８８が第一の蓋片８４の上側に位置するという点で相違するが、その他はほぼ同じであり、第一の蓋片８４の再封用折罫線５０が折れ曲がって基端側領域８４ａ及び開封部５６が筒体１２の内部に向かって延び、第一の側面板２２の、開封前に開封部５６が在った場所が開放し、その内側の少し離れた位置に開封部５６が配置される。したがって、再封された状態と開封前の状態の外観を比較すると、第一の側面板２２の側から見た時に特に大きな差が生じる。
【００４３】
このように、再封機能付き包装箱８０においても、上記再封機能付き包装箱１０と同様の優れた効果が得られる。その他、開封前の組み立て状態及び再封された状態で、第一の蓋片８４の再封用折罫線５０及び切り込み５２が第二の蓋片８８の下側に隠れるので、再封機能付き包装箱８０を蓋部１４側から見た時の見栄えが少し良くなるという利点もある。
【００４４】
なお、本考案の再封機能付き包装箱は、上記実施形態に限定されるものではない。例えば、上記のサイドフラップ３８，６０の係合部３８ａ，６０ａ及びその近傍の形状は、再封する時、係合部３８ａ，６０ａが第一の蓋片４６又は８４の切り込み５２の中にスムーズに入って係合させることができる形状の一例を示したものであり、係合部の形状は、箱体形成片の基材の厚みや材質に応じて適宜調節し変更するとよい。
【００４５】
その他、底部の構成は、上記の底部１６の構造に限定されず、自由に変更することができ、例えば、蓋部と同じ構造にしてもよい。
【符号の説明】
【００４６】
１０，８０  再封機能付き包装箱
１２  筒体
１４  蓋部
１６  底部
１８，８２  箱体形成片
２０，２４  側面板
２２  第一の側面板
２６  第二の側面板
３８，６２  サイドフラップ
３８ａ，６２ａ  係合部
４６，８４  第一の蓋片
４６ａ，８４ａ  基端側領域
４６ｂ，８４ｂ  先端側領域
４８  第一折罫線
５０  再封用折罫線
５２  切り込み
５４  開封用破断線
５６  開封部
７０，８８  第二の蓋片
【図１】
0003224236.tif 000003
【図２】
0003224236.tif 000004
【図３】
0003224236.tif 000005
【図４】
0003224236.tif 000006
【図５】
0003224236.tif 000007
【図６】
0003224236.tif 000008